(57)【要約】      （修正有）【課題】玉葱やじゃがいも等の丸物商品の陳列に好適な奥行き寸法が長い陳列面の形成が可能な商品陳列台及びその複数個により形成される商品陳列装置を提供する。【解決手段】商品を載置する板状の下段陳列部１と、下段陳列部１の後端から上方に起立する背板部２と、背板部２の上端から前方に延びる商品を載置する上段陳列部３を有する片持ちの陳列台であって、下段陳列部１の陳列面１１の奥行き寸法と、上段陳列部３の後端から前方に延びる陳列面３１の奥行き寸法が同じであり、側面視において、下段陳列部１の裏面と背板部２の裏面とは、直角に交わり、背板部２の裏面と上段陳列部３の上面とは、直角に交わる商品陳列台１０及びこれを用いた商品陳列装置である。【選択図】図１
0003189754.tif 000002
【実用新案登録請求の範囲】
【請求項１】
商品を載置する板状の下段陳列部と、該下段陳列部の後端から上方に起立する背板部と、該背板部の上端から前方に延びる商品を載置する上段陳列部を有する片持ちの陳列台であって、
該下段陳列部の陳列面の奥行き寸法（Ｗ１）と、該上段陳列部の後端から前方に延びる陳列面の奥行き寸法（Ｗ２）が同じであり、
側面視において、該下段陳列部の裏面と該背板部の裏面とは、直角に交わり、該背板部の裏面と該上段陳列部の上面とは、直角に交わることを特徴とする商品陳列台。
【請求項２】
該上段陳列部の前端には、該上段陳列部から上方に起立し左右方向に連続する前方突部を有し、該前方突部の裏面は、前方上りで左右方向に延びる前方側傾斜面を有することを特徴とする請求項１記載の商品陳列台。
【請求項３】
該背面板における該下段陳列部との接続部には、前方下りで左右方向に延びる後方側傾斜面を有することを特徴とする請求項１又は２記載の商品陳列台。
【請求項４】
該前方側傾斜面には、仕切り板が係止する第１係止縦溝が左右方向に所定のピッチで複数形成されていることを特徴とする請求項２記載の商品陳列台。
【請求項５】
該後方側傾斜面には、仕切り板が係止する第２係止縦溝が左右方向に所定のピッチで複数形成されていることを特徴とする請求項３記載の商品陳列台。
【請求項６】
該前方突部の前方側には、左右方向に延びる転落防止板が係止する第１係止横溝が形成されていることを特徴とする請求項２記載の商品陳列台。
【請求項７】
該下段陳列部の前方端には、左右方向に延びる転落防止板が係止する第２係止横溝が形成されていることを特徴とする請求項１〜６のいずれか１項に記載の商品陳列台。
【請求項８】
請求項１〜７のいずれか１項に記載の商品陳列台の複数個を使用し、少なくとも２つの商品陳列台は、前後方向で段差のある基台に縦列で設置され、前方の商品陳列台の上段陳列部の陳列面と後方の商品陳列台の下段陳列部の陳列面が面一となるように配置されたことを特徴とする商品陳列装置。
【請求項９】
請求項１〜７のいずれか１項に記載の商品陳列台の複数個を使用し、少なくとも２つの商品陳列台は、背中合わせとし、前方の商品陳列台の上段陳列部の陳列面と後方の商品陳列台の上段陳列部の陳列面が面一となるように配置されたことを特徴とする商品陳列装置。
【考案の詳細な説明】
【技術分野】
【０００１】
本考案は、例えば、量販店、スーパーなどで、玉葱、じゃがいも等の土物商品の陳列に好適な商品陳列台及びこれを複数個、組み合わせ陳列面を長く採った商品陳列装置に関するものである。
【背景技術】
【０００２】
従来、量販店、スーパーなどで、玉葱、じゃがいも等の土物商品を陳列する際、図９に示すように、雛壇状の陳列棚が使用されている。この陳列棚は、顧客にとって商品を見易く且つ取り出し易く、また、店側にとって陳列面を容易に形成でき都合がよいものである。なお、図９の陳列棚は側面図であり、正面視において左右方向に長く連続するものである。
【考案の概要】
【考案が解決しようとする課題】
【０００３】
このような雛壇状の陳列棚は、例えば、１段の陳列面の奥行きが３００ｍｍ前後であり、玉葱やじゃがいも等の丸物商品の陳列面としては、短く、陳列個数が制限されるという問題があった。従って、従来の雛壇状の陳列棚を有効に利用して、奥行きの長い陳列面の形成が可能な商品陳列台の開示が望まれていた。
【０００４】
従って、本考案の目的は、玉葱やじゃがいも等の丸物商品の陳列に好適な奥行き寸法が長い陳列面の形成が可能な商品陳列台及びその複数個により形成される商品陳列装置を提供することにある。
【課題を解決するための手段】
【０００５】
すなわち、本考案は、上記従来の課題を解決するものであって、商品を載置する板状の下段陳列部と、該下段陳列部の後端から上方に起立する背板部と、該背板部の上端から前方に延びる商品を載置する上段陳列部を有する片持ちの陳列台であって、該下段陳列部の陳列面の奥行き寸法（Ｗ１）と、該上段陳列部の後端から前方に延びる陳列面の奥行き寸法（Ｗ２）が同じであり、側面視において、該下段陳列部の裏面と該背板部の裏面とは、直角に交わり、該背板部の裏面と該上段陳列部の上面とは、直角に交わることを特徴とする商品陳列台を提供するものである。
【０００６】
また、本考案は、該上段陳列部の前端には、該上段陳列部から上方に起立し左右方向に連続する前方突部を有し、該前方突部の裏面は、前方上りで前後方向に延びる前方側傾斜面を有することを特徴とする前記商品陳列台を提供するものである。
【０００７】
また、本考案は、該背面板における該下段陳列部との接続部には、前方下りで前後方向に延びる後方側傾斜面を有することを特徴とする前記商品陳列台を提供するものである。
【０００８】
また、本考案は、該前方側傾斜面には、仕切り板が係止する第１係止縦溝が左右方向に所定のピッチで複数形成されていることを特徴とする前記商品陳列台を提供するものである。
【０００９】
また、本考案は、該後方側傾斜面には、仕切り板が係止する第２係止縦溝が左右方向に所定のピッチで複数形成されていることを特徴とする前記商品陳列台を提供するものである。
【００１０】
また、本考案は、該前方突部の前方側には、左右方向に延びる転落防止板が係止する第１係止横溝が形成されていることを特徴とする前記商品陳列台を提供するものである。
【００１１】
また、本考案は、該下段陳列部の前方端には、左右方向に延びる転落防止板が係止する第２係止横溝が形成されていることを特徴とする前記商品陳列台を提供するものである。
【００１２】
また、本考案は、前記商品陳列台の複数個を使用し、少なくとも２つの商品陳列台は、前後方向で段差のある基台に縦列で設置され、前方の商品陳列台の上段陳列部の陳列面と後方の商品陳列台の下段陳列部の陳列面が面一となるように配置されたことを特徴とする商品陳列装置を提供するものである。
【００１３】
また、本考案は、前記商品陳列台の複数個を使用し、少なくとも２つの商品陳列台は、背中合わせとし、前方の商品陳列台の上段陳列部の陳列面と後方の商品陳列台の上段陳列部の陳列面が面一となるように配置されたことを特徴とする商品陳列装置を提供するものである。
【考案の効果】
【００１４】
本考案の商品陳列装置によれば、従来の雛壇状の陳列棚の陳列面に対して、約１．６倍の奥行き長さを有する陳列面が形成できる。このため、玉葱やじゃがいも等の丸物商品の多量陳列に好適である。また、本考案の商品陳列台は、商品陳列装置を構成する部品として機能する。
【図面の簡単な説明】
【００１５】
【図１】本考案の実施の形態における商品陳列台の斜視図である。
【図２】本考案の実施の形態における商品陳列台の他の斜視図である。
【図３】図１の商品陳列台の左側面図である。
【図４】本考案の実施の形態における商品陳列装置の斜視図である。
【図５】本考案の実施の形態における他の商品陳列装置の斜視図である。
【図６】本考案の実施の形態における他の商品陳列装置の斜視図である。
【図７】本考案の実施の形態における他の商品陳列装置の斜視図である。
【図８】本考案の実施の形態における他の商品陳列装置の斜視図である。
【図９】従来の商品陳列棚の側面図である。
【考案を実施するための形態】
【００１６】
次に、本考案の実施の形態における商品陳列台を図１〜図３を参照して説明する。本明細書において、上、下、前、後、左右等の方向は、設置状態における顧客側から見た方向であり、具体的には図１及び図２における符号Ｆが正面（顧客側）である。
【００１７】
商品陳列台１０は、それ単独でも使用できるものの、後述のように、複数個組み合わせて使用することで、本考案の効果を顕著に発揮することができる。商品陳列台１０は、商品を載置する板状の下段陳列部１と、下段陳列部１の後端から上方に起立する板状の背板部２と、背板部２の上端から前方に延びる商品を載置する上段陳列部３を有する片持ちの陳列台であって、下段陳列部１の陳列面１１の奥行き寸法（Ｗ１）と、上段陳列部３の後端から前方に延びる陳列面３１の奥行き寸法（Ｗ２）が同じであり、側面視において、下段陳列部１の裏面１２と背板部２の裏面２１とは、直角に交わり、背板部２の裏面２１と上段陳列部３の上面３１とは、直角に交わる。
【００１８】
商品陳列台１０において、上段陳列部３の前端には、上段陳列部３から上方に起立し左右方向に連続する前方突部４を有し、前方突部４の裏面は、前方上りで左右方向に延びる前方側傾斜面４１を有する。前方側傾斜面４１には、仕切り板が係止する第１係止縦溝８が左右方向に所定のピッチで複数形成されている。前方突部４は、陳列商品が前方へ連絡することを防止する。また、前方側傾斜面４１は斜面に形成されるため、鉛直方向に差し込む仕切り板４０の嵌る部分が深くなり係止が安定する。このように、前方側傾斜面４１を、前方上り傾斜とすることで、玉葱等の丸物商品を傷つけることなく、陳列することができる。なお、上段陳列部３の前方側には、前方側傾斜面４１に形成された第１係止縦溝８に連続する縦溝３３が形成されている。これにより、仕切り板４の係止がより安定する。
【００１９】
商品陳列台１０において、上段陳列部３の後方側には、第１係止縦溝８と対応する第３係止縦溝５が左右方向に所定のピッチで複数形成されている。これにより、第１係止縦溝８と第３係止縦溝５が協働して仕切り板を安定に係止する。
【００２０】
商品陳列台１０において、背面板２における下段陳列部１との接続部には、前方下りの後方側傾斜面２２を有する。後方側傾斜面２２には、仕切り板が係止する第２係止縦溝７が左右方向に所定のピッチで複数形成されている。後方側傾斜面２２は斜面に形成されるため、仕切り板４０の嵌る部分が深くなり係止が安定する。また、後方側傾斜面２２を、前方下り傾斜の面とすることで、突起等が表面に表われず、玉葱等の丸物商品を傷つけることなく、陳列することができる。なお、下段陳列部１の後方側には、後方側傾斜面２２に形成された第２係止縦溝７に連続する縦溝１３が形成されている。これにより、仕切り板４の係止がより安定する。
【００２１】
商品陳列台１０において、下段陳列部１の前方側には、第２係止縦溝７と対応する第４係止縦溝６が左右方向に所定のピッチで複数形成されている。これにより、第２係止縦溝７と第４係止縦溝６が協働して仕切り板を安定に係止する。
【００２２】
商品陳列台１０において、前方突部４の前方側には、左右方向に延びる転落防止板が係止する第１係止横溝４２が形成されている。上段陳列部３の陳列面３１に多量の丸物商品が載置される場合、第１係止横溝４２に高さのある板状の転落防止板を設置することで、丸物商品の前方への転落を確実に防止できる。
【００２３】
商品陳列台１０において、下段陳列部１の前方端には、左右方向に延びる転落防止板が係止する第２係止横溝１３が形成されている。第１係止横溝４２に高さのある板状の転落防止板を設置することで、丸物商品の前方への転落を防止できる。
【００２４】
商品陳列台１０において、上段陳列部３の後方端には、左右方向に延びる転落防止板が係止する第３係止横溝３２が形成されている。商品陳列台１０を単独で商品の陳列に使用する際、第３係止横溝３２に高さのある板状の転落防止板を設置することで、丸物商品の後方への転落を防止できる。
【００２５】
商品陳列台１０は、本例では３パーツ、すなわち、下段陳列部パーツと背板部パーツと上段陳列部パーツを嵌め込むことで得られるものである。図１及び図２中、横線ｌが２つのパーツの接続により表われる線（嵌合線）である。商品陳列台１０は、このような３パーツの組み込み体に限定されず、一体物であってもよい。
【００２６】
商品陳列台１０によれば、下段陳列部１の裏面１２と背板部２の裏面２１とは、直角（図３中、符号α）に交わり、背板部２の裏面２１と上段陳列部３の上面３１とは、直角（図３中、符号β）に交わる。従って、例えば商品陳列台１０を２つ用意し、背中合わせとした際、一方の商品陳列台１０の上段陳列部３の陳列面３１と他方の商品陳列台１０の上段陳列部３の陳列面３１が連続し且つ面一となるため、奥行き長さを長く採れる。また、商品陳列台１０において、上段陳列部３の先端は、下段陳列部１の先端より内側に位置している。これにより、上段陳列部３の陳列面に商品が陳列されてもバランスを崩すことがなく、安定である。
【００２７】
次に、本考案の実施の形態における商品陳列装置を図４〜図８を参照して説明する。商品陳列装置２０は、商品陳列台１０の複数個を使用し、少なくとも２つの商品陳列台は、前後方向で段差のある基台に縦列で設置され、前方の商品陳列台の上段陳列部の陳列面と後方の商品陳列台の下段陳列部の陳列面が面一となるように配置されたものである。図４の商品陳列装置２０は２つの商品陳列台１０を前後方向はそのままとして使用し、前後方向で段差のある基台６０に縦列で並べたものである。この際、基台６０の段差高さは、背板部２の高さより下段陳列部１の厚み分、低くしてある。これにより、前方の商品陳列台１０の上段陳列部３の陳列面３１と後方の商品陳列台１０の下段陳列部１の陳列面１１が連続して面一となり、且つ奥行き寸法が大の陳列面９となる。これにより、既存の雛壇状の陳列台（基台６０）に載せて設置しても、奥行き寸法を約２倍近く長く採ることができ、多量の丸物商品の陳列が可能となる。なお、符号５０ａ、５０ｂは商品陳列台１０を横方向に連結する際、２つの商品陳列台を係止する係止凸部又は係止凹部である。
【００２８】
図５の商品陳列装置２０ａについて説明する。図５の商品陳列装置２０ａにおいて、図４の商品陳列装置２０と同一構成要素には、同一符号を付して、その説明を省略し、異なる点について主に説明する。すなわち、図５の商品陳列装置２０ａにおいて、図４の商品陳列装置２０と異なる点は、商品陳列台１０を３台使用する点および左右を区画する仕切り板４０を使用した点である。
【００２９】
図５の商品陳列装置２０ａは３つの商品陳列台１０を前後方向はそのままとして使用し、前後方向で２つの段差のある基台７０に縦列で並べたものである。これにより、奥行き寸法が大の陳列面９を、段差を違えて２つ得ることができる。これにより、多量の丸物商品の陳列が可能となる。また、仕切り板４０は、商品陳列台１０の上段陳列部３又は下段陳列部１の陳列面３１、１１に対応した寸法であり、上方の一方の角が大きく切り欠かれており、前方係止脚部４５と後方係止脚部４６を備える。従って、奥行き寸法が大の陳列面９では、仕切り板４０は２つ使用する。本例においては、陳列面９を形成する前方の上段陳列部３の陳列面３１の第１係止縦溝８には、前方係止脚部４５が係止し、第３係止縦溝５には、後方係止脚部４６が係止している。また、陳列面９を形成する後方の下段陳列部１の陳列面１１の第４係止縦溝６には、後方係止脚部４６が係止し、第２係止縦溝７には、前方係止脚部４５が係止している。なお、２つの仕切り板は、前方側と後方側が前後反転している。これにより、機能的にも見た眼にもバランスの採れた仕切り板となる。なお、図５の商品陳列装置２０ａにおいて、仕切り板４０は左側のみに限定されず、右側を区画してもよい。
【００３０】
図６の商品陳列装置２０ｂについて説明する。図６の商品陳列装置２０ｂにおいて、図５の商品陳列装置２０ａと同一構成要素には、同一符号を付して、その説明を省略し、異なる点について主に説明する。すなわち、図６の商品陳列装置２０ｂにおいて、図５の商品陳列装置２０ａと異なる点は、商品陳列台１０を６台使用する点および６台の中、３台は前後方向を反転して前後方向（縦列）に並べて使用する点である。
【００３１】
すなわち、図６の商品陳列装置２０ｂは、図５の商品陳列装置２０ａを２つ用意して、ひとつは前後方向を反転して、最上段の商品陳列台１０Ａと商品陳列台１０Ｂを背中合わせとしたものである。すなわち、前方の３台の商品陳列台１０で形成される商品陳列装置２０ａは後方上り段差となり、後方の３台の商品陳列台１０で形成される商品陳列装置２０ａは前から見て、後方下り段差となる。なお、基台８０は上記形状に対応して、前方側が、前後方向で２つの段差のある基台とし、後方側が、前方（符号Ｆ１側）から見て、前後方向で２つの下り段差のある基台としたものである。
【００３２】
なお、図６の商品陳列装置２０ｂにおいて、最上段の２つの商品陳列台１０Ａ及び１０Ｂは、背中合わせとなっており、前方の商品陳列台１０の上段陳列部３の陳列面３１と後方の商品陳列台１０の上段陳列部３の陳列面３１が連続し、且つ面一となっている。商品陳列装置２０ｂは、奥行き寸法が大の陳列面９を５つ得ることができ、顧客Ｆ１側及び顧客Ｆ２側及び側面である顧客Ｆ３側からもアクセスでき、多量の丸物商品の陳列が可能となる。なお、図６の商品陳列装置２０ｂにおいて、仕切り板４０は左側のみに限定されず、右側を区画してもよい。
【００３３】
次に、図７の商品陳列装置２０ｃについて説明する。図７の商品陳列装置２０ｃにおいて、図６の商品陳列装置２０ｂと同一構成要素には、同一符号を付して、その説明を省略し、異なる点について主に説明する。すなわち、図７の商品陳列装置２０ｃにおいて、図６の商品陳列装置２０ｂと異なる点は、商品陳列装置２０ｂを横方向に連続して６台並べて使用する点および仕切り板を省略した点である。
【００３４】
図７の商品陳列装置２０ｃは、奥行き寸法及び横寸法が共に大の陳列面９Ａを有する。このため、単独の商品陳列台１０からは予想を超える斬新な陳列形状を形成することができる。商品陳列装置２０ｃは、商品陳列装置２０ｂと同様の効果を奏する他、更に大量の丸物商品の陳列が可能となる。
【００３５】
次に、図８の商品陳列装置２０ｄについて説明する。図８の商品陳列装置２０ｄにおいて、図７の商品陳列装置２０ｃと同一構成要素には、同一符号を付して、その説明を省略し、異なる点について主に説明する。すなわち、図８の商品陳列装置２０ｄにおいて、図７の商品陳列装置２０ｃと異なる点は、大きな陳列面９Ａに左右を区画する仕切り板４０を多数設置した点である。図８の商品陳列装置２０ｄは、商品陳列装置２０ｃと同様の効果を奏する他、大量の丸物商品を区画して陳列することができる。
【００３６】
本考案の商品陳列装置は、上記実施の形態例に限定されず、種々の変形を採ることができる。例えば、商品陳列台における下段陳列部の陳列面、上段陳列部の陳列面、背板部の内側面には、多数の滑り止めの微少突起が形成されていてもよく、また、微少高さの横溝が前後方向に連続した多数の突起が形成されてもよい。これらはいずれも平坦面に対して、滑り難い面となっており、陳列に好適なものである。図６の商品陳列装置において、４つの商品陳列台を使用した２段ものであってもよく、８つの商品陳列台を使用した４段ものであってもよい。また、図７及び図８において、前方２段、後方２段の商品陳列装置であってもよい。また、仕切り板４０の形状は特に制限されず、アーチ形状などであってもよい。
【産業上の利用可能性】
【００３７】
本考案によれば、片持ち構造の商品陳列台の組み合わせで、種々の陳列形態の商品陳列装置が得られる。これらの商品陳列装置は、奥行き寸法が大の陳列面が得られるため、玉葱やジャガイモ等の丸物商品の陳列に好適である。
【符号の説明】
【００３８】
１    下段陳列部
２    背板部
３    上段陳列部
４    前方突部
５    第３係止縦溝
６    第４係止縦溝
７    第２係止縦溝
８    第１係止縦溝
１０    商品陳列台
１１    下段陳列部の陳列面
１３    第２係止横溝
２０、２０ａ〜２０ｄ    商品陳列装置
２２    後方側傾斜面
３１    上段陳列部の陳列面
３２    第３係止横溝
４１    前方側傾斜面
４２    第１係止横溝
【図１】
0003189754.tif 000003
【図２】
0003189754.tif 000004
【図３】
0003189754.tif 000005
【図４】
0003189754.tif 000006
【図５】
0003189754.tif 000007
【図６】
0003189754.tif 000008
【図７】
0003189754.tif 000009
【図８】
0003189754.tif 000010
【図９】
0003189754.tif 000011